(57)【要約】【課題】患者の診断や所見の経過を容易に確認することができる医用レポート装置を提供する。【解決手段】  レポート作成システム１は、患者に対する所見を示すレポート情報の文字列から、患者の部位、部位修飾語、部位所見、部位診断、所見修飾語、診断修飾語のうち少なくともいずれかを示す単語または単語列を抽出するテキストマイニング手段としての形態素解析部２２と、複数の前記レポート情報において抽出された前記単語または単語列を、関連する項目毎に整列する情報処理手段２１と、を備えている。【選択図】    図１
2009093544.tif 000002
【特許請求の範囲】
【請求項１】
患者に対する所見を示すレポート情報の文字列から、患者の部位、部位修飾語、部位所見、部位診断、所見修飾語、診断修飾語のうち少なくともいずれかを示す単語または単語列を抽出するテキストマイニング手段と、
複数の前記レポート情報において抽出された前記単語または単語列を、関連する項目毎に整列する情報処理手段と、
を備えたことを特徴とする医用レポート装置。
【請求項２】
前記テキストマイニング手段は、
前記レポート情報を複数の単語に分割する手段と、
前記単語に対して表現から判断可能なグループ、項目を識別するコードを割り当てる手段と、を備えることを特徴とする請求項１記載の医用レポート装置。
【請求項３】
抽出された前記単語または単語列を、前記部位毎にグルーピングするグルーピング手段を備えたことを特徴とする請求項１又は請求項２に記載の医用レポート装置。
【請求項４】
前記グルーピングした前記部位を検査実施日時でソートするソート手段を備えたことを特徴とする請求項１乃至請求項３のいずれかに記載の医用レポート装置。
【請求項５】
前記レポート情報は、一方の軸を時系列とし、他方の軸を部位及び部位修飾語とした表形式に整列されることを特徴とする請求項１乃至４のいずれかに記載の医用レポート装置。
【発明の詳細な説明】
【技術分野】
【０００１】
本発明は医用レポート装置に関し、例えば病院内における患者の診断に使用されるものに関する。
【背景技術】
【０００２】
病院内における患者の所見や診断内容を示すレポート情報を基にレポートを作成する医用レポート作成装置が知られている（例えば、特許文献１参照）。この医用レポート装置は、文章で入力される診断内容や検査に対する所見に基づいてレポートを作成する機能や、閲覧要求に応じてレポートを表示する機能を有するレポート作成装置と、このレポート作成装置と接続され、レポート情報を整理する機能を有する管理サーバとを備えている。例えばレポート作成装置は診断室等に設置され、病院内における複数のレポート作成装置と管理サーバとが院内ＬＡＮを通じて接続されている。
【０００３】
このような医用レポート装置で作成されるレポートは、通常、一回の診断や検査における検査所見や診断内容が文章として記録されたものであり、さらに、対応する医用画像や付帯情報としての検査日、検査装置の種類、担当者等の情報が記録される。一人の患者に対して複数回にわたる検査や診断が行われた場合には、これら複数回の検査や診断に対してそれぞれレポートが作成される。管理サーバにおいては、作成された複数のレポートについて、患者毎又は検査毎にリスト情報として整理することが可能である。
【０００４】
使用者は、例えばある特定の患者に関する過去の所見や診断の経過を確認したい場合には、その患者に関する複数のレポートを、サーバから送られたリスト情報で参照し、複数のレポートをそれぞれ開き、それぞれの所見文章や診断文章を閲覧する。
【特許文献１】特開２００６−２９３４７１号公報
【発明の開示】
【発明が解決しようとする課題】
【０００５】
しかしながら、上記技術には次のような問題がある。すなわち、患者の検査や診断の経過を確認する場合には、リストを参照してそれぞれ個別に記録された複数のレポートを開かなければならない。また、これらのレポートは文章で記録されているため、過去の一つ一つの文章を読み、閲覧の際に経過としてまとめる必要があった。したがって、操作数が多く、経過を確認するまでの作業が煩雑となり、長時間を要する。
【０００６】
そこで、本発明は、患者の診断や所見の経過を容易に確認することができる医用レポート装置を提供することを目的とする。
【課題を解決するための手段】
【０００７】
本発明の一形態にかかる医用レポート装置は、患者に対する所見を示すレポート情報の文字列から、患者の部位、部位修飾語、部位所見、部位診断、所見修飾語、診断修飾語のうち少なくともいずれかを示す単語または単語列を抽出するテキストマイニング手段と、複数の前記レポート情報において抽出された前記単語または単語列を、関連する項目毎に整列する情報処理手段と、を備えたことを特徴とする。
【０００８】
本発明の他の一形態にかかるレポート装置は、前記テキストマイニング手段は、前記レポート情報を複数の単語に分割する手段と、前記単語に対して表現から判断可能なグループ、項目を識別するコードを割り当てる手段と、を備えることを特徴とする。
【０００９】
本発明の他の一形態にかかる医用レポート装置は、抽出された前記単語または単語列を、前記部位毎にグルーピングするグルーピング手段を備えたことを特徴とする。
【００１０】
本発明の他の一形態にかかる医用レポート装置は、前記グルーピングした前記部位を検査実施日時でソートするソート手段を備えたことを特徴とする。
【００１１】
本発明の他の一形態にかかる医用レポート装置は、前記レポート情報は、一方の軸を時系列とし、他方の軸を部位及び部位修飾語とした表形式に整列されることを特徴とする。
【発明の効果】
【００１２】
本発明によれば、患者の診断や所見の経過を容易に確認することが可能となる。
【発明を実施するための最良の形態】
【００１３】
以下、本発明の一実施形態について、図１乃至図５を参照して説明する。なお、各図において適宜構成を拡大、縮小、省略して概略的に示す。図１は、本発明に係るレポート作成システム１の一実施形態における構成を示すブロック図である。
【００１４】
レポート作成システム１は、例えば病院内に設けられ、医用レポート装置としてのレポート作成装置１０と、管理サーバ３０と、を備え、これらの装置が、病院内のＬＡＮ４０（ローカルエリアネットワーク）により接続され、相互に通信可能に構成されている。これら装置の組合せ、または装置単体をレポート作成システム１と呼ぶものとする。
【００１５】
管理サーバ３０は、レポート作成装置１０で作成されたレポート情報を記憶するデータ記憶部３１と、データ処理部３２と、を備える。データ処理部３２は、例えば、レポート作成装置１０からの要求に応じて、レポートを出力したり、複数のレポート情報を、担当者毎、患者毎、または検査日毎に分類したリスト情報を作成及び出力する機能を有する。
【００１６】
レポート作成装置１０は、パーソナルコンピュータ、ワークステーションをベースとして構成され、入力部１１と、出力部１２と、所定のプログラムに従って処理を実行するシステム制御部１３と、プログラム及びデータを記憶する記憶部１４と、病院内ＬＡＮ４０に接続する通信回路１５と、画像を表示するための表示部１６及びモニタ１７と、キーボードやマウス等の操作部１８と、入力されたレポート情報に基づいてレポートを作成するためのレポート作成部１９と、を具備する。
【００１７】
さらにレポート作成装置１０は、閲覧要求があった際に管理サーバ３０から受信したレポート情報に対してテキストマイニング処理を行うテキストマイニング手段としての形態素解析部２２、情報抽出部２３、テキストマイニング辞書記憶部２４、及びテキストマイニング辞書更新部２５と、テキストマイニング結果の整列等の各種処理を行う情報処理手段としての情報処理部２１と、を具備する。
【００１８】
レポート作成装置１０は、例えば診療科に設置され、患者の担当医（使用者）が必要に応じてレポートやリストや経過表を閲覧する端末装置として機能する。レポート作成装置１０の近傍には、ＣＴ診断装置やＭＲＩ等の診断装置で検出された医用画像を表示するビューワが配置され、読影医が医用画像等を参照しながら操作部１８を操作することにより診断や所見を示す文章がレポート情報として入力される。ここでは、例えば検査日と、その所見結果が文章で入力される。ここで、レポート情報とは、例えば読影医が作成する文字情報等であり、診断情報及び所見情報は、レポート情報を構成する文字情報の少なくとも一部である。
【００１９】
レポート情報としては、同一患者に対して複数の部位についての診断結果が複数の文章で入力される場合もある。例えば図２にレポート形式で示される４月２０の検査では、１つのレポートに対応するレポート情報として２つの部位腎及び肺に関し、「右腎に非常に大きな腫瘍を見る。」「肺の左側に濃い陰影が見られる。」との複数（２つ）の文章が入力、記録される。なお、別の検査日のレポート情報は別個のレポートとして、それぞれ記録される。
【００２０】
レポート作成部１９では、レポート作成アプリケーションが起動され、入力された情報に基づいてレポートが作成される。このように作成された３つのレポート１０１、１０２、１０３を図２に示す。それぞれのレポートに、診断情報や所見情報を示す文章と、付帯情報として検査日と、が記載されている。ここでは３回の検査に対応する３つのレポート１０１，１０２，１０３を並列して図示しているが、実際にレポートを閲覧する際にはこれらを個別に展開して閲覧することとなる。
【００２１】
作成されたレポートに関するレポート情報は、管理サーバ３０に送られ、管理サーバ３０のデータ記憶部３１において保管される。
【００２２】
形態素解析部２２は、入力部１１を介して管理サーバ３０から受信したレポート情報を複数の形態素（単語）に分割するとともに、各単語の品詞を識別する。換言すると、形態素解析部２２は、レポート情報を形態素列（単語列）に変換する。
【００２３】
情報抽出部２３７は、形態素解析部２２で発生された複数の形態素（形態素列）の表現（文字列）に対して、形態素各々又は２乃至３の連続する形態素からなる該当表現ごとに、その表現上の性質に従った種類（グループ名）及び項目名（文字列）を識別するコードを割り当てて、レポート（文字列）を、各種解析処理可能なコード列に変換する。
【００２４】
この割り当てのためにテキストマイニング辞書記憶部２４にはテキストマイニング辞書が定義されている。技術の進歩や用語の進化等に追従するために、テキストマイニング辞書は、操作部１８から入力された辞書管理者の指示に従ってテキストマイニング辞書更新部２５の制御のもとで更新される。例えばテキストマイニング辞書に登録されていない表現がレポートにあったとき、その表現に対しては未登録を表すユニークコードが割り当てられる。ユニークコードが割り当てられた表現が抽出され、管理者に対して登録が促される。これに対して管理者は操作部１８を介して新たなコードの設定等の指示を入力する。
【００２５】
テキストマイニング辞書は、レポート中に現れる表現とその集約項目名の一覧である。つまり、テキストマイニング辞書は、レポートで慣用される様々な形態素（形態素列）の単一又は２乃至３の連続する形態素からなる複数の表現に対して、グループ及び項目名を識別するための複数のコードがそれぞれ関連付けられている。また、異なる文字あるいは文字列であっても同一内容を示すものについては関連付けられている。したがって、例えば病院内の科によって、同じ部位や所見修飾に対して複数の異なる表現が使用されている場合にも、これらを意味で統一して処理することが可能となっている。
【００２６】
グループとしては、例えば検査実施日、部位、部位修飾、所見、所見修飾が含まれる。文章でのレポート情報をコード列に変換することで、記憶部１４への格納、情報検索及び分類が容易となる。それぞれの項目とその項目に対応する単語が抽出されたテキストマイニング結果として、図２で示すレポート１０１，１０２、１０３に夫々対応する３つのテキストマイニング結果１０４，１０５，１０６を図３に示す。
【００２７】
情報処理部２１は、テキストマイニングされ、レポート情報から抽出された情報をグルーピング処理やソート処理により整列し、図４に示すような、複数のレポートに対応する１つの経過表１０７を作成する。すなわち情報処理部２１はグルーピング手段及びソート手段を備えている。
【００２８】
次に、本実施形態におけるレポート作成装置１０において経過表１０７を表示する際の処理手順を図５に従って説明する。
【００２９】
使用者（確認者）により操作部１８が操作され、例えばある患者の経過情報を経過表として閲覧する旨の指示が入力されると、この指示内容に応じたコマンドを受け、管理サーバ３０から対象患者に対する複数の検査に関するレポート情報が送信され、管理サーバ３０から患者のレポート情報を読み込む（ＳＴ１）。
【００３０】
読み込んだレポート情報に対して、部位、部位修飾、部位に対する診断・所見、診断・所見修飾を抽出し、レポートの主旨部分をピックアップするテキストマイニング処理が行われる（ＳＴ２）。ここでは、まず、形態素解析部２２において、レポート情報を複数の形態素（単語）に分割するとともに、各単語の品詞を識別する。すなわち、レポート情報を形態素列（単語列）に変換する。ついで、形態素解析部２２で発生された複数の形態素（形態素列）の表現（文字列）に対して、情報抽出部２３で、形態素各々又は２乃至３の連続する形態素からなる該当表現ごとに、テキストマイニング辞書に応じて、その表現上の性質に従った種類（グループ名）及び項目名（文字列）を識別するコードが割り当てられ、レポート（文字列）が、各種解析処理可能なコード列に変換される。ここでは、さらに、レポート情報のうち、付帯情報である検査実施日時等も抽出される。
【００３１】
レポート情報に対するテキストマイニング処理の結果はレポート作成装置１０の記憶部１４に一時的に保存される（ＳＴ３）。
【００３２】
ついで、全てのレポート情報を読み込んだか否か、すなわち管理サーバ３０に該当する患者のレポート情報が残っていないかが判定される（ＳＴ４）。全てのレポートを読み込んでいない場合には、ＳＴ１に戻り、該当する患者の過去の全てのレポートの読み込みが終了するまで上記処理を繰り返す。
【００３３】
全てのレポートに対しての読み込み及びテキストマイニング処理が終了したら、一時的に保存していた全てのテキストマイニング処理結果を読み込む（ＳＴ５）。
【００３４】
ついで、情報処理部２１において、テキストマイニングの結果を部位及び部位修飾でグループ化し、検査実施日順にソートする（ＳＴ６）。
【００３５】
ＳＴ７においてグルーピング及びソートした結果に基づき縦軸を検査実施日順に並べ、横軸に部位、部位修飾、所見、所見修飾、を並べて表形式に整列することにより経過表１０７が作成される（ＳＴ７）。
【００３６】
ついで、ＳＴ８において作成された表を表示部１６を介してモニタに表示させる（ＳＴ８）。この経過表では、例えば図４に示されるように、横軸は部位及び部位修飾であり「部位修飾／部位」の形式で記載され、複数の部位に関する場合には「部位修飾／部位」が順番に横に並べられる。また各「部位修飾／部位」の下にはその部位についての所見・診断及び所見・診断修飾を示す単語が、「所見・診断修飾／所見・診断」の形式で記載されている。このように配列されることにより、関連する単語が時系列順に縦に並ぶこととなる。
【００３７】
本実施形態にかかるレポート作成システム１は以下に掲げる効果を奏する。複数のレポートに対する情報を経過表として一覧できるため、使用者（確認者）は、同一患者に対する複数のレポートの文章を逐一読むことなく、時系列の表を参照することで、容易に各部位の診断、所見を確認することが可能となる。したがって、最小の操作数で部位別の所見、診断の経過が画面に表示されるので、使用者の手間が軽減される。また、前記した操作軽減は、画像診断にかかる時間も軽減させる。文章ではなく同種類の意義を持つ単語が縦に揃って時系列に並んでいることにより、使用者が短時間で必要な情報を確認することができる。
【００３８】
また、一方の軸（横軸）に部位を並べ、他方の軸（縦軸）を時系列としたことにより、同一の患者で同一検査日において、複数の部位を診断する場合にも対応できる。また、検査日によって診断部位が異なる場合であっても対応できる。さらに、複数の部位に関する診断結果を全て一度に確認することができるため、異なる科での所見も参照することができ、より迅速かつ的確な診断を促すことができる。
【００３９】
なお本発明を実施するにあたり、この発明の構成要素を発明の要旨を逸脱しない範囲で各部材の具体的な形状等を種々に変更して実施できることは言うまでもない。  
なお、上記実施形態では診断及び所見と検査日時をレポート情報としたが、これに限られるものではなく、これに代えて、あるいはこれに加えて、例えば、診断装置で撮影した画像情報、担当者名、レポート登録日、等に関する情報をレポート情報としても良い。
【００４０】
本発明を実施するにあたり、格構成部材の具体的な形状や構造など本発明の構成要素を発明の要旨を逸脱しない範囲で種々に変更して実施できることは言うまでもない。さらに、本発明を実施するにあたり、上記実施形態の複数の構成要素を適宜組み合わせてもよい。また、実施形態に示される全構成要素から幾つかの構成要素を削除してもよく、異なる実施形態にわたる構成要素を適宜組み合わせてもよい。
【図面の簡単な説明】
【００４１】
【図１】本発明の第１実施形態にかかるレポートシステムの構成を模式的に示す説明図。
【図２】本発明の第１実施形態にかかるレポートを複数並べて示す説明図。
【図３】本発明の第１実施形態にかかるテキストマイニング結果を複数並べて示す説明図。
【図４】本発明の第１実施形態にかかる経過表を示す説明図。
【図５】本発明の第１実施形態にかかるレポート作成システムにおける処理手順を示すフローチャート。
【符号の説明】
【００４２】
１…レポート作成システム、１０…レポート作成装置（医用レポート装置）、１４…記憶部、１５…通信回路、１６…表示部、１７…モニタ、１８…操作部、１９…レポート作成部、２１…情報処理部（情報処理手段）、２２…形態素解析部（テキストマイニング手段）、２３…情報抽出部、２４…テキストマイニング辞書記憶部、２５…テキストマイニング辞書更新部、３０…管理サーバ、３１…データ記憶部、３２…データ処理部、４０…ＬＡＮ、１０１．１０２…レポート、１０４．１０５…テキストマイニング結果、１０７…経過表。
【図１】
2009093544.tif 000003
【図２】
2009093544.tif 000004
【図３】
2009093544.tif 000005
【図４】
2009093544.tif 000006
【図５】
2009093544.tif 000007